(57)【要約】【課題】肌についての詳細な情報を手軽に得ることを目的とする。【解決手段】カメラアダプタ（１００）は、撮像装置（２００）へ取り付けるための取付部（１７０）と、少なくとも受光した光を撮像装置へ導く光学系（１１０）と、撮像装置から制御信号を受信する受信部（１４０）と、前記受信部にて受信された制御信号に基づいて前記光学系を調整する制御部（１５０）とを有する。【選択図】図２
2019141321.tif 000002
【特許請求の範囲】
【請求項１】
撮像装置へ取り付けるための取付部と、
少なくとも受光した光を前記撮像装置へ導く光学系と、
前記撮像装置から制御信号を受信する受信部と、
前記受信部にて受信された制御信号に基づいて前記光学系を調整する制御部と
を有するカメラアダプタ。
【請求項２】
前記光学系は、波長特性の異なる複数の光源と、偏光特性の異なる複数の偏光フィルタとを含み、
前記制御部は、一の光源と、当該一の光源の偏光フィルタと、受光した光に対して適用する偏光フィルタとのうち、少なくともいずれか一つを選択する、
請求項１に記載のカメラアダプタ。
【請求項３】
前記光学系は、可視光光源と紫外光光源とを含み、
前記制御信号は、撮影対象の肌に照射された前記可視光光源の、当該肌の表面からの反射光を検出する第１のモードと、前記肌に照射された前記可視光光源の、当該肌の内部からの散乱光を検出する第２のモードと、前記肌に照射された前記紫外光光源の、当該肌の表面からの反射光を検出する第３のモードのいずれか一つを指定する、
請求項１に記載のカメラアダプタ。
【請求項４】
前記肌の水分量を計測する手段を更に備える
請求項３記載のカメラアダプタ。
【請求項５】
前記肌の弾力を計測する手段を更に備える
請求項３または４に記載のカメラアダプタ。
【請求項６】
前記可視光光源には、白色光光源と青色光源とが含まれる、
請求項３〜５のいずれか一つに記載のカメラアダプタ。
【請求項７】
前記光学系は、
検出した光を前記撮像装置へ導くレンズと、
前記レンズの近傍に配置された、１以上の紫外光光源と複数の可視光光源と、
前記複数の可視光源のうち第１の可視光源および前記レンズの肌側に設けられた、共通の偏光特性を有する第１フィルタと、
前記複数の可視光光源のうち第２の可視光源の前記肌側に設けられた、前記第１フィルタと直行する変更特性を有する第２フィルタと
を有し、
前記制御部は、前記複数の可視光光源および前記１以上の紫外光光源を選択的に点灯させる
請求項３〜６のいずれか一つに記載のカメラアダプタ。
【請求項８】
データ送信部および撮像部を備えた端末と、
前記端末に取り付けられるカメラアダプタと
を備え、
前記カメラアダプタは、
少なくとも受光した光を前記端末へ導く、複数の光学系と、
前記端末から送信された制御信号を受信する受信部と
前記受信部にて受信された制御信号に基づいて前記光学系を調整する制御部と
を有する
撮像システム。
【請求項９】
データ送信部および撮像部を備えた端末から、当該端末に取り付けられたカメラアダプタに対して制御信号を送信するステップと、
前記カメラアダプタにおいて、受信した制御信号に基づいて光学系を調整するステップと、
前記カメラアダプタが、前記光学系の調整が完了したことを前記端末へ通知するステップと
を有する撮像方法。
【請求項１０】
無線通信部および撮像部を備えた端末のコンピュータに、
当該端末に取り付けられ、無線通信機能を有し、光学系の調整が可能なカメラアダプタに対して、制御信号を送信するステップと、
前記カメラアダプタにおいて該送信された制御信号に従って前記光学系の調整が完了したことを示す信号を、前記カメラアダプタから受信するステップと
を実行させるためのプログラム。
【発明の詳細な説明】
【技術分野】
【０００１】
本発明は、肌の状態を測定する技術に関する。
【背景技術】
【０００２】
肌の状態を光学的に測定することが行われている。特に、汎用のスマートフォンに取り付けるレンズアダプタを用いると、簡易的に肌測定を行うための撮影環境を構築できる。この場合、スマートフォンの撮影機能や照明機能を利用するので、最小限の光学モジュールを搭載していれば、レンズアダプタ側は電源が不要であり、低コストで肌撮影用の撮影環境が可能となる。
【先行技術文献】
【特許文献】
【０００３】
【特許文献１】特開２０１３−２５７５１８号公報
【発明の概要】
【発明が解決しようとする課題】
【０００４】
スマートフォンに内蔵されているＬＥＤモジュールなどの撮影機能は肌測定には十分でない場合がある。また、スマートフォンによってもカメラの性能が異なるので、同じレンズアダプタを用いたとしても、スマートフォンが異なると撮影画像の品質に差が出てしまう。この結果、肌状態の判定結果の信頼性が担保できないことになる。
【０００５】
さらに、肌（皮膚）の状態は、キメ、汚れ、シミなどの種々の要素があり、肌状態をより詳細に知るためには、複数の観点に基づいて測定することが好ましい。しかし、通常、観点に応じて最適な光学配置が異なる。光学配置は、典型的には、入射光の、波長、変更、強度、受信した光（反射光または散乱光の偏光状態、強度、波長）の組み合わせによって規定される。例えば、いわゆるキメ（肌の表面の状態）の撮影に関しては、入射光として白色光を用い、且つ入射光の偏光状態と同じ偏光状態を有する反射光のみが受光できる光学配置を構築することが好ましい。
【０００６】
この観点から、肌状態の詳細な情報を得るべく、測定目的に応じて複数の光学配置パターンを切替ることができる機構をレンズアダプタに設けることは考えられる。しかし、このような機構を設けたとしても、ユーザがアダプタの光学配置の切替え操作と撮影実行操作を複数回（例えば、キメ、汚れ、シミという目的に応じて３回）行う必要があり、手間がかかる。加えて、この一連の測定の最中、測定対象領域（例えば鼻筋付近なのか頬なのか）やレンズアダプタとの肌までの距離を一定に保つことが難しい。対象領域や距離にバラつきが生じると、肌状態の判定精度を下げる一因となる。
【０００７】
携帯型撮影装置の制御とカメラアタッチメントにおける光学配置の設定との連携に関し、文献１には、フラッシュ機能を有しない携帯型撮影装置のアタッチメントにおいて、フラッシュの検知に連動して携帯型撮影装置を起動することが記載されている。文献１の発明では、ユーザは携帯型撮影装置の操作を行えばアタッチメントについて特段操作を行う必要がなく、フラッシュ撮影を実現できる。しかし、肌状態を多様な観点から計測すべく複数の光学配置パターンを実現するといったことはできない。
【０００８】
このように、従来技術においては、肌についての詳細な情報を手軽に得ることが難しかった。
本発明は、肌についての詳細な情報を手軽に得ることを目的とする。
【課題を解決するための手段】
【０００９】
本発明は、一の態様において、撮像装置へ取り付けるための取付部と、少なくとも受光した光を前記撮像装置へ導く光学系と、前記撮像装置から制御信号を受信する受信部と、前記受信部にて受信された制御信号に基づいて前記光学系を調整する制御部とを有するカメラアダプタを提供する。
【００１０】
本発明によれば、肌についての詳細な情報を手軽に得ることができる。
【図面の簡単な説明】
【００１１】
【図１】（ａ）はカメラアダプタ１００の外観図、（ｂ）はカメラアダプタ１００が取り付けられた状態を示す図。
【図２】測定システム１０の機能ブロック図。
【図３】カメラアダプタ１００の内部構造を示す図。
【図４】カメラアダプタ１００およびスマートフォン２００動作例。
【図５（ａ）】スマートフォン２００の画面に表示される内容の例（その１）
【図５（ｂ）】スマートフォン２００の画面に表示される内容の例（その２）
【図５（ｃ）】スマートフォン２００の画面に表示される内容の例（その３）
【図５（ｄ）】スマートフォン２００の画面に表示される内容の例（その４）
【図５（ｅ）】スマートフォン２００の画面に表示される内容の例（その５）
【図５（ｆ）】スマートフォン２００の画面に表示される内容の例（その６）
【図５（ｇ）】スマートフォン２００の画面に表示される内容の例（その７）
【図５（ｈ）】スマートフォン２００の画面に表示される内容の例（その８）
【図６】測定システム２０の外観図。
【図７】測定システム２０の機能ブロック図。
【図８】測定システム２０動作例。
【発明を実施するための形態】
【００１２】
＜第１実施例＞
図１（ａ）はカメラアダプタ１００の外観を示す。同図（ｂ）はカメラアダプタ１００が取り付けられた状態を示す。測定システム１０はカメラアダプタ１００とスマートフォン２００を含む。カメラアダプタ１００は、クリップ部１０１および光学系１１０を含む。光学系１１０は、光学測定の種類に応じて選択可能な複数の光学系であり、スマートフォン２００の有する撮像機能を補助ないし拡張するためのものである。クリップ部１０１はカメラアダプタ１００をスマートフォン２００に着脱可能に固定するための機構である。なお、固定の方式として、クリップのような挟み込み方式に替えて、マグネットなどの機械的・磁気的な方法を採用してもよい。要するに、２００に固定できればよい。
【００１３】
スマートフォン２００は、自分の肌を測定したいユーザによって使用される、通信機能および撮影機能を有する情報処理端末であって、機能の詳細は問わない。
ユーザは、光学系１１０の光軸と２００のカメラレンズ（図示せず）の光軸に合致するよう、に光学系１１０の位置決めを行う。
【００１４】
図２は測定システム１０の機能を示す。カメラアダプタ１００は、光学系１１０と弾力測定部１３０と水分量測定部１２０と通信部１４０と制御部１５０と記憶部１６０と取付部１７０を含む。取付部１７０は、クリップ部１０１によって実現され、カメラアダプタ１００をスマートフォン２００へ取り付けるための機構である。通信部１４０は、有線または無線によって、スマートフォン２００から制御信号を受信する。
【００１５】
光学系１１０は、フィルタ群１１１と光源群１１２とレンズ１１３とを含む。光源群１１２は、波長特性の異なる複数の光源が含まれる。好ましくは、光源群１１２は可視光光源と紫外光光源（例えば３６０〜３８０ｎｍ）とを含む。加えて、光源群１１２には、白色光光源と青色光源とが更に含まれていてもよい。フィルタ群１１１は、各々偏光特性が異なる複数の偏光フィルタからなる。レンズ１１３は、赤外〜紫外光を透過し、受光した光をスマートフォン２００へ導く光路上に設けられる。
【００１６】
制御部１５０は、通信部１４０を介してスマートフォン２００から受信された制御信号に基づいて光学系１１０を制御する。具体的には、制御部１５０は、光学系１１０を構成する一の光源と、当該一の光源の偏光を制御する偏光フィルタと、受光した光に対して適用するフィルタ群１１１とのうち、少なくともいずれか一つを選択する。
好ましくは、制御信号は、撮影対象の肌に照射された前記可視光光源の、当該肌の表面からの反射光を検出する第１のモードと、前記肌に照射された前記可視光光源の、当該肌の内部からの散乱光を検出する第２のモードと、前記肌に照射された前記紫外光光源の、当該肌の表面からの反射光を検出する第３のモードのいずれか一つを指定する。
【００１７】
第１モードは、キメを撮影することを目的とした、表面の光の反射のみを用いて撮影するモードである。第２モードは、シミ（隠れジミ）を撮影することを目的とした、表面の反射をカットして内部散乱光を用いて撮影するモードである。第３モードは、紫外光を照射することで角栓の汚れを蛍光発色により検出するためのモードである。
【００１８】
水分量測定部１２０は、肌に電流を印加して電気抵抗を測定する機構と電気抵抗値に基づいて肌の水分量を算出する処理回路とによって実現される。
弾力測定部１３０は、圧力センサによって実現され、肌の弾力の度合い（反発力）を計測する。
【００１９】
スマートフォン２００は、撮像部２１０と通知部２３０と通信部２４０と制御部２５０と入力部２６０を含み、撮影機能に加え、音声通信やデータ通信機能を有する汎用の携帯型デバイスである。情報処理機器として有する一般的な機能については、説明を省略する。
【００２０】
撮像部２１０は、光源２１１とレンズ２１２と受光素子２１３と撮像制御部２１４と画像処理部２１５を含む。光源２１１は、ＬＥＤ等によって実現される。受光素子２１３は、ＣＣＤ等の光学デバイスである。撮像制御部２１４は、プロセッサによって実現され、露光、ピント、等の撮影に関する各種制御を実行する。画像処理部２１５は。画像処理プロセッサによって実現され、画像データを生成する。
【００２１】
記憶部２２０は、半導体メモリ等の記憶素子であって、スマートフォン２００のＯＳのほか、後述するカメラアダプタ１００と連携動作を行うためのアプリが記憶される。加えて、撮像部２１０にて撮影した画像データ、水分量測定部１２０または弾力測定部１３０にて測定され、通信部２４０を介して取得したデータが記憶される。
【００２２】
通知部２３０は、表示部２３１と振動発生部２３２とスピーカ２３３を含み、測定の結果をユーザ通知する。表示部２３１は、液晶ディスプレイによって実現され、文字や画像で情報を通知する。振動発生部２３２は、小型モーター等によって実現され、振動によって通知を行う。スピーカ２３３は、音声によって情報通知を行う。
【００２３】
通信部２４０は、ＷｉＦｉ（登録商標）やＢｌｕｅｔｏｏｔｈ（登録商標）などの無線通信モジュールとして実現される。制御部２５０は、ＣＰＵ等のプロセッサである。入力部２６０は、タッチパネルや操作スイッチであってユーザが操作して情報や指示を入力する。
【００２４】
図３は、カメラアダプタ１００の内部構造の概念図である。各モジュールは基板上（図示せぬ）に実装される。無線通信モジュール１９１は、通信部１４０を実現するための無線通信モジュールである。なお、無線通信モジュールに替えて有線通信モジールであってもよい。バッテリ１９２は、カメラアダプタ１００の各モジュールに電力を供給する。充電プラグ１９３は、カメラアダプタ１００へ充電するためのデバイスである。ＣＰＵ１９４は、制御部１５０の機能を実現する。
【００２５】
光学系１１０は、肌からの光をカメラアダプタ１００の受光部へ導いて結像させるための、肌を拡大撮影するための光学モジュールであるレンズ１１３を含む。
レンズ１１３の近傍には、１以上の紫外光光源（この例ではＬＥＤ１１２Ｂ−１、ＬＥＤ１１２Ｂ−２、ＬＥＤ１１２Ｂ−３、ＬＥＤ１１２Ｂ−４の計４つ）と、複数の可視光光源（例えば白色光源とこの例ではＬＥＤ１１２Ａ−１、ＬＥＤ１１２Ａ−２、ＬＥＤ１１２Ａ−３、ＬＥＤ１１２Ａ−４、ＬＥＤ１１２Ａ−５、ＬＥＤ１１２Ａ−６の計６つ）が配置される。
そして、複数の可視光源のうち第１の可視光源（例えばＬＥＤ１１２Ａ−１）およびレンズ１１３よりも肌側（同図の＋Ｘ方向）に、各可視光源の変更特性と共通の偏光特性（例えば横偏光）を有する第１フィルタ（フィルタ１１１−１）が設けられる。当該複数の可視光光源のうち第２の可視光源（例えばＬＥＤ１１２Ａ−５）の肌側には、前記第１フィルタと直行する偏光特性（例えば縦偏光）を有する第２フィルタ（フィルタ１１１−２）が設けられる。
【００２６】
この例の光学配置において、制御部１５０は、複数の可視光光源および１以上の紫外光光源を選択的に点灯させる。具体的には、第１モードにおいては、ＬＥＤ１１２Ａ−１、ＬＥＤ１１２Ａ−２、ＬＥＤ１１２Ａ−３、ＬＥＤ１１２Ａ−４を点灯させ、第２モードにおいてはＬＥＤ１１２Ａ−５およびＬＥＤ１１２Ａ−６を点灯させ、第３モードにおいては、ＬＥＤ１１２Ｂ−１〜ＬＥＤ１１２Ｂ−４の４個を点灯させる。
【００２７】
上述した光学配置は例示にすぎない。例えば、適用する偏光フィルタを切替えるのではなく、光源やフィルタの位置を移動させる機構を設け、あるいは偏光子を用いて変更特性を制御することによって、複数の光学配置を実現してもよい。
【００２８】
図４はカメラアダプタ１００およびスマートフォン２００の動作例である。まずユーザはスマートフォン２００を操作し、カメラアダプタ１００を制御するためのアプリケーションプログラム（以下、アプリという）を起動させておく。そして、測定内容（測定項目の種類とその実行順序）を規定する情報（以下、設定情報という）を入力するないし記憶部２２０から読み出すなどして、撮影開始の指示を入力する（Ｓ５０１）。この際、図５（ａ）に示すような案内画面がスマートフォン２００に表示されてもよい。
なお、測定項目に加えて、測定の実行順序をユーザが指定できるようにしてもよい。あるいは、制御部２５０は、指定された複数の測定項目に応じて所定のアルゴリズムに従って決定してもよい。
さらに、その後、図５（ｂ）のような案内画面を表示してもよい。また、測定実行中は、図５（ｃ）のような案内を表示してもよい。
【００２９】
以下、設定情報が、光学的測定を３種類、非光学的測定を２種類行うことを規定している場合を例にとって説明する。
【００３０】
上記設定情報に基づいて、スマートフォン２００はカメラアダプタ１００へ最初に実行すべきモードを示す制御信号を送信する（Ｓ５０３）。ここでは第１モードが指定されたと仮定する。カメラアダプタ１００は、この制御信号に従って、光学系１１０の光学配置の設定ないし切替を実行し、所定期間（例えば０.５秒間）待機した後（Ｓ５０５）、撮影の準備が整ったことを示す確認信号ＡＣＫをスマートフォン２００へ送信する（Ｓ５０７）。所定期間待機するのは、光源を予熱するなど光学モジュールが最適な性能を発揮するための処理を行うためである。
【００３１】
スマートフォン２００は、確認信号ＡＣＫを受信したことを契機として、撮像を実行し、生成した画像データを記憶する（Ｓ５０９）。続いて、設定情報に従って次の測定項目を実行すべく、スマートフォン２００はモードの切替命令をカメラアダプタ１００へ送信する（Ｓ５１１）。切替命令を受信すると、カメラアダプタ１００は、モードの切替および必要な待機を行い（Ｓ５１３）、測定の準備が完了すると確認信号ＡＣＫをスマートフォン２００へ送信する（Ｓ５１５）。スマートフォン２００は、確認信号ＡＣＫを受信すると、第２モードでの撮像を行ってその画像データを記憶する（Ｓ５１７）。
【００３２】
続いて、設定情報に従って次の撮影を行うべく、切替命令をカメラアダプタ１００へ送信する（Ｓ５１９）。カメラアダプタ１００において同様にモード切替および必要な待機を行い（Ｓ５２１）、準備が完了すると確認信号ＡＣＫをスマートフォン２００へ送信する（Ｓ５２３）。確認信号ＡＣＫを受信したスマートフォン２００では、第３モードにて撮像を行われ、画像データが記憶される（Ｓ５２５）。
続いて、２００は設定情報に従って、次の測定項目が水分量測定であると判定し、水分量測定命令をカメラアダプタ１００へ送信する（Ｓ５２７）。水分量測定命令を受信すると、カメラアダプタ１００は、水分量測定を実行し（Ｓ５２９）、その測定結果のデータをスマートフォン２００へ送信する（Ｓ５３１）。スマートフォン２００は受信した測定データを記憶する（Ｓ５３３）。
【００３３】
続いて、スマートフォン２００は設定情報に従って弾力測定命令をカメラアダプタ１００へ送信する（Ｓ５３５）。弾力測定命令を受信すると、カメラアダプタ１００は弾力測定を実行し（Ｓ５３７）、その測定結果のデータをスマートフォン２００に送信する（Ｓ５３９）。スマートフォン２００は、受信した測定データを記憶する（Ｓ５４１）。
【００３４】
スマートフォン２００は、設定情報に基づいて全ての項目の測定が終了したと判定すると、一連の測定において取得した測定データを解析し必要に応じて加工・編集し、測定結果を画面に表示する（Ｓ５４３）。なお、図５（ｄ）のような画面を表示してユーザに測定終了を通知してもよい。なお、終了の通知は、音声や振動を用いても行われてもよい。
【００３５】
図５（ｅ）は測定結果の表示の一例である。この例では、肌状態は、測定項目ごとに点数化され総合的な指標（点数）がチャートで示されている。
【００３６】
上記実施例によれば、スマートフォン２００で制御アプリを起動するとカメラアダプタ１００の制御（光学配置の変更）とスマートフォン２００の制御（撮影の実行タミング）が連動して行われる。この結果、一連の測定のなかに複数種類の測定が含まれている場合であっても、ユーザが切替操作を行う必要がない。これにより、汎用の撮影装置では取得が難しかった詳細な肌情報を取得することができる。また、切替操作が不要であるか、手振れによる判定精度の低下の心配もない。また、汎用の携帯端末にカメラアダプタ１００を取り付けることで実現することができるので、手軽である。
さらに、非光学的測定手法を併せて用いることで、汎用の情報通信端末機器では取得できない肌に関する情報を取得することができる。
【００３７】
肌は場所によってその状態が異なり得ることを踏まえ、複数の部位を測定できるようにしてもよい。
具体的には、まず、測定開始前において設定情報を生成する際に、図５（ｆ）のような画面を表示し、ユーザに測定対象の部位や測定順序を指定させる。この例ではオブジェクトＯＢ２１〜ＯＢ２４の位置を指定することで、部位と順序を指定することができるようになっている。
なお、同一の測定項目で複数の部位について測定を行う場合、５（ｇ）のような画面を表示し、または音声によって、１００を当てる位置の調整およびその位置の確定を行うように案内してもよい。
また、複数部位を測定した場合、図５（ｈ）のように、部位ごとに、各項目の評価を表示してもよい。同図では、顔を表すオブジェクトＯＢ１と、３つの測定部位に対応するＯＢ２〜ＯＢ４を表示し、評価を点数として表現している。
【００３８】
要するに、本発明に係るカメラアダプタは、一の態様において、撮像装置へ取り付けるための取付部と、少なくとも受光した光を前記撮像装置へ導く光学系と、前記撮像装置から制御信号を受信する受信部と前記受信部にて受信された制御信号に基づいて前記光学系を調整する制御部とを有していればよい。
換言すると、本発明は、データ送信部および撮像部を備えた端末のコンピュータに、当該端末に取り付けられたカメラアダプタに対して制御信号を送信するステップと、前記カメラアダプタにおいて、受信した制御信号に基づいて前記光学系を調整するステップと、前記カメラアダプタが、前記光学系の調整が完了したことを前記端末へ通知するステップとを実行させるためのプログラムを提供する。
【００３９】
＜第２実施例＞
図６は測定システム２０の概要図である。測定システム２０は、ＰＣ４００とスコープカメラ３００を含む。スコープカメラ３００には、スイッチ３７０と通知部３９０とが設けられている。スコープカメラ３００とＰＣ４００とは通信ケーブル５００を介して接続され、情報の授受ができるようになっている。
【００４０】
図７は測定システム２０の機能ブロック図である。スコープカメラ３００は、水分量測定部３２０と弾力測定部３３０と制御部３５０と撮像部３６０とスイッチ３７０と記憶部３８０と第１通信部３４１と第２通信部３４２とを含む。
【００４１】
スイッチ３７０は、スコープカメラ３００の筐体に設けられた物理的スイッチであって、ユーザの操作を受付ける。ユーザはスイッチ３７０を操作して、測定の開始、終了、中断、モードの切替えなどをスコープカメラ３００に指示することができる。入力された操作を表す信号は、第１通信部３４１を介してＰＣ４００へ送信される。これにより、４００がスコープカメラ３００の動作状態を把握することができる。
従って、ＰＣ４００が上述の設定情報を有している場合は、操作信号には、少なくとも測定モードの切替を示す信号が含まれていれば足りる。操作信号を受け取ったＰＣ４００は、設定情報を参照することにより、スコープカメラ３００にて行われた操作およびこの直後に受信するデータがどの測定項目に対応するデータなのかを認識することができるからである。
【００４２】
なお、操作信号に、測定項目の切替えや切替え後の測定項目を示す情報が含まれている場合は、ＰＣ４００が設定情報を有していなくても、操作信号のみに基づいてスコープカメラ３００の動作情報を把握することができる。
要するに、スコープカメラ３００の動作状態をＰＣ４００が把握できるように、操作信号がスコープカメラ３００からＰＣ４００に供給されるようになっていればよい。
【００４３】
第１通信部３４１は、ＷｉＦｉやＢｌｕｅｔｏｏｔｈなどの通信規格に従って、ＰＣ４００との間で制御に関する情報の授受を行うための通信モジュールである。具体的には、第１通信部３４１はスイッチ３７０にて入力された操作信号を送信するとともに、ＰＣ４００から確認信号ＡＣＫを受信する。
第２通信部３４２は、ＵＳＢやイーサーネット等の通信規格に従って、通信ケーブル５００を用いて、ＰＣ４００との間で、スコープカメラ３００にて測定されたデータをＰＣ４００へ転送を行うための通信モジュールや接続端子として実現される。
なお、第１通信部３４１および第２通信部３４２は、各々、有線通信でも無線通信でも構わないが、少なくとも撮像部３６０にて生成された肌画像のデータについては、第２通信部３４２を介して送信される。よって、第２通信部３４２は、第１通信部３４１よりもデータ転送速度や転送量における能力が高いことが好ましい。
【００４４】
撮像部３６０は、光源群３６１とレンズ３６２と受光素子３６３と撮像制御部３６４と画像処理部３６５とフィルタ群３６６とを含み、切替え可能な複数の光学系を有する。一例において、撮像部３６０は、撮像部２１０と光学系１１０とを統合したものと同等の機能を有する。要するに、複数の測定モードが容易されていて、ユーザにより切替可能となっていればよい。
【００４５】
制御部３５０は、光源群３６１およびフィルタ群３６６に対して、設定および設定の切替指示を行うとともに、撮像制御部３６４およびレンズ３６２に対して撮像の実行タイミングを命令する。
【００４６】
通知部３９０は、ＬＥＤ等の発光デバイスや液晶ディスプレイ等によって実現され、ＰＣ４００からモードの切替命令を受信したことをユーザに報知する。
【００４７】
記憶部３８０は、半導体メモリ等の記憶デバイスであって、設定情報が記憶される。
【００４８】
水分量測定部３２０は、水分量測定部１２０と同等の機能を有する。弾力測定部３３０は、弾力測定部１３０と同等の機能を有する。
【００４９】
すなわち、スコープカメラ３００は、カメラアダプタ１００に、スマートフォン２００の撮像機能とユーザの操作を受付ける機能と２系統による通信機能を加えた構成であると把握できる。
【００５０】
ＰＣ４００は、例えば汎用ＰＣであって、ＰＣ４００は、第１通信部４１１と第２通信部４１２と制御部４４０と記憶部４３０と表示部４２０を含む。
第１通信部４１１は、ＷｉーＦｉやＢｌｕｅｔｏｏｔｈなどの通信規格に従って、スコープカメラ３００との間で制御に関する情報の授受を行うための通信モジュールである。具体的には、４４１は操作信号を送信するとともに、スコープカメラ３００へ確認信号ＡＣＫを送信する。
第２通信部４１２は、ＵＳＢやイーサーネット等の通信規格に従って、通信ケーブル５００を介して、スコープカメラ３００から測定データを受信するための通信モジュールや接続端子として実現される。
【００５１】
表示部４２０は、ディスプレイであって、設定情報の入力、読み出し、実行されている処理状況の通知、測定結果の表示等に用いられる。記憶部４３０は、ハードディスクや半導体であって、設定情報および測定データを記憶する。制御部４４０は、プロセッサであって、測定データに対して解析・編集等の処理行って、描画用データを生成する。
入力部４５０は、キーボードやマウスであって、ユーザが設定情報の入力等に行うために用いられる。
【００５２】
図８は測定システム２０の動作例である。なお、同図の破線は無線による通信であることを、実線は有線による通信であることを示す。
ユーザは、ＰＣ４００を操作して所定のアプリを起動するなどして、設定情報を読み出しておく。ＰＣ４００は、スコープカメラ３００から操作信号を受付ける状態となる（Ｓ６００）。次に、ユーザがスイッチ３７０を操作して、測定を開始するための操作を行うと（Ｓ６０１）、操作信号がＰＣ４００へ第１通信部３４１を介して送信される（Ｓ６０３）。ＰＣ４００は操作信号を初めて受信したので、設定情報に基づく測定が開始されたと判定する。
【００５３】
スコープカメラ３００は、ユーザがスイッチ３７０を用いて指定したモードを適用して撮影を実行する（Ｓ６０５）。撮影が完了すると、その画像データ画像が第２通信部３４２を介してＰＣ４００へ送信される（Ｓ６０７）。
ＰＣ４００は、先に受信した操作信号および設定情報に基づいて、受信した測定データが、設定情報に記述された第１番目の測定にて得られたデータであると認識しているから、第１番目の測定項目（例えば「シミ測定」）を示すインデックスを付して、当該測定データを保存する（Ｓ６０９）。
【００５４】
ＰＣ４００は、設定情報を参照し、次の測定項目が存在する場合、第１通信部４１１を介してスコープカメラ３００にモードの切替命令を送信する（Ｓ６１１）。スコープカメラ３００は、切替命令を受信するとユーザへ通知し、この通知をうけたユーザは、切替操作が必要であると認識する。ユーザは、必要に応じてＰＣ４００の画面を見ながら、スイッチ３７０を操作することによってモードを切替ると、操作信号がＰＣ４００へ送信されるとともにＳ６１４、切替えが実行され（Ｓ６１５）、切替え後のモードで測定が実行され（Ｓ６１６）、測定データがＰＣ４００へ送信される（Ｓ６１７）。
ＰＣ４００は設定情報に記述された２番目の測定結果であることを示すインデックスを付与して受信した測定データを保存する（Ｓ６１８）。
ＰＣ４００は設定情報を確認して、次の測定項目が存在する場合、切替命令を送信する（Ｓ６１９）。
【００５５】
このように、全ての測定項目が終了したとＰＣ４００が判定するまで、Ｓ６１２、Ｓ６１３、Ｓ６１５、Ｓ６１６、Ｓ６１７、Ｓ６１８、Ｓ６１９のステップが繰り返される。
ＰＣ４００は、全ての項目が終了したと判定した場合（Ｓ６３０）、あるいはスイッチ３７０にて入力された、測定の終了を指示する操作信号を受信した場合（Ｓ６２９）、測定日時に関連付けて一つのフォルダに纏めるなどして、保存した一連のデータを関連付けて保存する。
【００５６】
第２実施例によれば、スコープカメラ３００とＰＣ４００が連動して動作するので、とユーザは通知に従ってスコープカメラ３００の操作を行えばよいので、多様な種類の測定を簡単に行うことができる。一方、ＰＣ４００は一連の測定に複数種類の測定項目が含まれている場合であっても、スコープカメラ３００から送られてきた測定データがどの種類の測定の結果を示すものであるかを確実に把握することができる。
【００５７】
また、通信経路を２系統設け、データ量の比較的小さい制御信号は無線通信によって送信する一方、データ量の比較的大きい画像データの送信は有線通信によって行うことにより、効率的にデータ転送を行うことができる。加えて、画像データの送受信処理部分については、ＵＳＢ接続等の既存のデータ転送用ドライバプログラムを利用することができるので、ＰＣ４００でスコープカメラ３００と通信を行うための制御プログラムが容易に作成できる。
【００５８】
上述したスコープカメラ３００を用いた測定の内容、種類、項目数は、例示にすぎない。要するに、本発明に係る撮像装置は、情報処理装置と、複数の光学系を切替え可能な撮像部と、当該光学系を切替えるための操作部と、報知部とを有する撮影装置と、当該情報処理装置と通信を行う通信部とを備えた撮像装置とを備えた測定システムにおいて、撮像装置にてユーザの操作を受付けると操作信号を情報処理装置に送信するステップと、受信した操作信号に基づいて光学系の切替を指示する信号を撮像装置に送信するステップとが行われていればよい。
【００５９】
＜変形例＞
第１実施例および第２実施例において示した光学系は一例にすぎない。具体的には、光学系を構成する光学モジュールの種類、数、特性は任意である。また、測定の種類、方式、項目数は任意である。目的に応じて測定手段を設定すればよい。例えば、光学的測定の３つもモード種類のうち、一部を省略してもよいし、新たなモードを設定してもよい。同様に、測定項目として肌の油分量を測定するセンサをさらに設けてもよいし、一部の測定項目の実行を省略してもよい。
【符号の説明】
【００６０】
１０、２０・・・測定システム、１００・・・カメラアダプタ、２００・・・スマートフォン、１０１・・・クリップ部、１１０・・・光学系、１１３・・・レンズ、１１１・・・フィルタ群、１１１Ａ、１１１Ｂ・・・ＬＥＤ、１１２・・・光源群、１３０・・・弾力測定部、１２０・・・水分量測定部、１４０・・・通信部、１７０・・・取付部、１５０・・・制御部、２１０・・・撮像部、２２０・・・記憶部、２５０・・・制御部、２６０・・・入力部、２３０・・・通知部、２３１・・・表示部、２３２・・・振動発生部、２３３・・・スピーカ、２１１・・・光源、２１２・・・レンズ、２１３・・・受光素子、２１４・・・撮像制御部、２１５・・・画像処理部、１９１・・・無線通信モジュール、１９２・・・バッテリ、１９３・・・充電プラグ、１９４・・・ＣＰＵ、３００・・・スコープカメラ、４００・・・ＰＣ、５００・・・通信ケーブル、３５０・・・制御部、３７０・・・スイッチ、３３０・・・弾力測定部、３２０・・・水分量測定部、３８０・・・記憶部、３４１・・・第１通信部、３４２・・・第２通信部、３６０・・・撮像部、３６１・・・光源、３６２・・・レンズ、３６３・・・受光素子、３６４・・・撮像制御部、３６５・・・画像処理部、３６６・・・フィルタ群、３６１・・・光源群、４１１・・・第１通信部、４１２・・・第２通信部、４２０・・・表示部、４３０・・・記憶部、４５０・・・入力部、３９０・・・通知部
【図１】
2019141321.tif 000003
【図２】
2019141321.tif 000004
【図３】
2019141321.tif 000005
【図４】
2019141321.tif 000006
【図５（ａ）】
2019141321.tif 000007
【図５（ｂ）】
2019141321.tif 000008
【図５（ｃ）】
2019141321.tif 000009
【図５（ｄ）】
2019141321.tif 000010
【図５（ｅ）】
2019141321.tif 000011
【図５（ｆ）】
2019141321.tif 000012
【図５（ｇ）】
2019141321.tif 000013
【図５（ｈ）】
2019141321.tif 000014
【図６】
2019141321.tif 000015
【図７】
2019141321.tif 000016
【図８】
2019141321.tif 000017